(57)【要約】【課題】  材料の歩留りが良く、また、ゴムシール等に比べて軸方向の余裕がなくても密封装置として組込み可能で工数も少なくすることの出来る軸受の密封装置を提供する。【解決手段】  内輪と外輪との間に形成される環状空間の軸方向端部に装着される軸受の密封装置であって、金属製環状板からなるシールド１と、該シールド１が嵌合される外輪２の周溝２ａとを備え、該周溝の底径はシールド１の外径より小さくする。また、このシールドは、複数巻きとしても良い。シールド１の外径は外輪２の周溝２ａの底部に接触し、シールド１は、更に元に戻ろうとするが弾性変形した状態でその外周面１ｃが周溝２ａに接触した状態で安定する。外輪２の周溝２ａの内壁側及び外壁側（鍔部の内側）にも弾性変形する力が作用して密封性能が一層良くなる。【選択図】図４
2006002854.tif 000002
【特許請求の範囲】
【請求項１】
内輪と外輪との間に形成される環状空間の軸方向端部に装着される軸受の密封装置であって、金属製環状板を巻回してなるシールドと、該シールドが嵌合される外輪の周溝とを備え、該周溝の底径はシールド外径より小であることを特徴とする軸受の密封装置。
【請求項２】
前記シールドは複数巻きであることを特徴とする請求項１に記載の軸受の密封装置。
【発明の詳細な説明】
【技術分野】
【０００１】
本発明は、軸受の密封装置であって、特に医療用Ｘ線ＣＴスキャナ等の旋回座軸受のような大径の軸受に設けられる軸受の密封装置に関する。
【背景技術】
【０００２】
医療用のＸ線ＣＴスキャナ、特に人体全体をガントリー内部へ収容し、撮像装置を回転体に設置して回転駆動させながら撮像検査するＸ線検査装置では旋回座軸受が使用される。このような旋回座軸受は、大径薄肉タイプの転がり軸受が使用され潤滑はグリース潤滑とされるものが多い。従来はこのような旋回座軸受では密封装置を設ける場合、接触タイプとして芯金付ゴムシール（芯金にゴムを焼付けたもの）が用いられる例が多かった。例えば、図７及び図８に示すように、弾性材料で形成したシール本体２１ａと、該シール本体２１ａに埋設若しくは一部を露出させて一体とした補強用芯金２１ｂとでシール２１を形成し、該シール２１を回転部材２２と固定部材２３との間に配置して前記回転部材と固定部材間を密封してなる密封装置において、補強用芯金２１ｂを、環状に且つ複数重ねのコイル状の板材リングから形成してなる密封装置が提案されている（特許文献１）。
【０００３】
しかしながら、上記するような弾性体と芯金とを一体としたシールは、幅方向の寸法が大きくなり、且つ組込み工数が多くなるという問題があり、このような問題を解決するため図９及び図１０に示すような非接触タイプのシールド３１が開発された。この軸受密封装置は、旋回座用ラジアル軸受の外・内輪３２、３３の軸方向端部に装着される金属製の環状板を有し、その外周において等間隔の６カ所に環状板自身の径方向たわみを許容させるための凹状の切欠部３４が設けられている（凹状の切欠部３４と切欠部３４との間は凸部３５となる）。また、凹状の切欠部３４の角度範囲θ1 は凸部３５の角度範囲θ2 より少し大きくしてある。これにより、環状板が径方向にたわみやすくなるので、旋回座用ラジアル軸受の外輪３２の周溝３２ａに対して何の道具も用いることなく装着しやすくなる。しかも、環状板（シールド３１）が周溝３２ａに装着されると、元の状態に復帰するので、環状板（シールド３１）の初期の寸法設計に基づいて、内輪３２の段部３３ａとの間に適正なラビリンス間隔３４が形成される（特許文献２）。
【０００４】
【特許文献１】特開平０１−０７７１３５号
【特許文献２】特開平０７−２７９９７９号
【発明の開示】
【発明が解決しようとする課題】
【０００５】
しかしながら、大径薄肉の軸受で使用される密封装置用のシールドは、畳のような幅広で大きな鋼板からリング状のシールドを切り出すため、材料の歩留りが悪くコスト面で不利である。更に、材料用の鋼板も軸受サイズが大きくなると、外径も大きくなるため材料の入手が困難となり、しかも無駄な部分が発生するという問題があった。そして、加工用としても特殊な加工機を必要とするが、サイズによっては加工機の適用範囲を超えると加工ができなくなる、等の問題があった。
この発明は上記する課題に対処するためになされたものであり、材料の歩留りが良く、また、ゴムシール等に比べて軸方向の余裕がなくても密封装置として組込み可能で工数も少なくすることの出来る軸受の密封装置を提供することを目的としている。
【課題を解決するための手段】
【０００６】
即ち、上記課題を解決するため、請求項１に記載の発明は、内輪と外輪との間に形成される環状空間の軸方向端部に装着される軸受の密封装置であって、金属製環状板を巻回してなるシールドと、該シールドが嵌合される外輪の周溝とを備え、該周溝の底径はシールド外径より小であることを特徴とするものである。
【０００７】
また、請求項２に記載の発明は、前記シールドは複数巻きであることを特徴ととしている。
【０００８】
本発明は、上記手段において、シールドは帯鋼板から取り出して製作する。このシールドは、図４に示すように、大径薄肉の軸受の外輪の端部に設けた周溝に嵌め入れ、内輪外周面との間にラビリンス隙間を形成する。そして、外輪の周溝に嵌め入れる前のシールドの外径は、外輪の周溝の内径よりも少し大きく形成し、外輪の周溝に嵌め入れる際には該シールドの外径側を内径方向に押すと、該シールドの外径は、弾性変形して小さくなる。こうして、周溝に位置したところで外力を開放すると、シールドの外径は外輪の周溝の底部に接触し、更に元に戻ろうとするが弾性変形した状態で周溝に接触した状態で安定する。従って、シールドは密封装置として機能して外部からの塵埃等が周溝の底部を伝って侵入するのを防止し、また、グリース漏れも防止することになる。
【発明の効果】
【０００９】
請求項１の発明によれば、シールドを材料の帯鋼（ばね鋼）から取り出すことができるので材料の歩留りの心配をする必要がなくなる。また、金属製の板材を環状に巻回してシールドを加工する際特殊な加工機を使用する必要がないので既存の設備や治具を製作して容易に加工することができる。また、請求項２の発明によれば、外輪端部の溝底と金属製環状板のシールド外周面との間の密着性がより確実となるので、シール性能が一層良くなる。
【発明を実施するための最良の形態】
【００１０】
以下、本発明の最良の実施の形態について説明する。
【００１１】
図１は、本発明の第１の実施の形態の軸受の密封装置のシールドの斜視図であり、図２は一方から見た側面図である。このシールド１は、環状に巻回して形成してあるが、製作に際しては、図３に示すように、実際に使用するシールドの断面高さにほぼ等しい幅を有する帯鋼板をロール状に巻いたドラム８から板材１’を取り出し所定の長さに切断し、治具等を使用して塑性加工し、巻回して環状板に形成する。この場合、シールド１（環状板）の一方の端部１ａと他方の端部１ｂとは少し重なる（ラップする）程度に形成する。
【００１２】
前記シールド１は、図４（Ａ）に示すように、大径薄肉の軸受の外輪２と内輪３との間の環状空間６の該外輪２の軸方向端部に設けた周溝２ａに嵌め入れ、内輪３外周面３ａとの間にラビリンス隙間４を形成する。この場合、外輪２の軸方向端部の周溝２ａに嵌め入れる前のシールド１の外径Ｄ1 は、外輪２の周溝２ａの内径ｄ1 よりも少し大きく形成してある。そして該シールド１を外輪２の周溝２ａに嵌め入れる際には、図２に示すように、該シールド１の外径側を内径方向に押すと、該シールド１の外径は、弾性変形して小さくなる。前記外輪２の端部には周溝２ａの外側には鍔部２ｂが形成されているが、弾性変形させたシールド１の外径をこの鍔部２ｂの内径より少し小さくなる程度に縮小させ、周溝２ａに位置したところで外力を開放すると、シールド１の外径は外輪２の周溝２ａの底部に当接する。該シールド１は、更に元に戻ろうとするが弾性変形した状態でその外周面１ｃが周溝２ａに当接して安定する。従って、本発明の軸受の密封装置によれば、シールド１は密封装置として機能して外部からの塵埃等が軸方向端部の周溝２ａの底部を伝って侵入するのを防止し、また、グリース漏れも防止することができる。
【００１３】
尚、図１に示すように、シールド１を一重巻きとした場合、該シールド１の一方の端部１ａと他方の端部１ｂとは少し重なる（ラップする）ので、周溝２ａに嵌め入れたとき、図４（Ａ）に示すように、一部は二重となり、図４（Ｂ）に示すように、他の部分は一重となる。従って、外輪２の端部に形成する周溝２ａの幅Ｌ1 はこの一部の重なりを考慮して形成する必要がある。
【００１４】
次に、図５は、本発明の第２の実施の形態の軸受の密封装置のシールドの斜視図である（一方から見た側面図は図２と同様であるので省略する）。このシールド１１も、環状に巻回して形成してあるが、第１の実施の形態と同様に、実際に使用するシールドの断面高さにほぼ等しい幅を有する帯鋼板をロール状に巻いたドラム８から板材１’を取り出し所定の長さに切断し、治具を使用して塑性加工し、巻回して環状板に形成する。この場合、シールド１１（環状板）は少なくとも環状板が二重となるように形成する。そして、該シールド１１の一方の端部１１ａと他方の端部１１ｂとは少し重なる（ラップする）程度に形成する。
【００１５】
前記シールド１１は、図６（Ａ）に示すように、大径薄肉の軸受の外輪２と内輪３との間の環状空間６の該外輪２の軸方向端部に設けた周溝２ａに嵌め入れ、内輪３外周面３ａとの間にラビリンス隙間４を形成する。この場合も外輪２の軸方向端部に設けた周溝２ａに嵌め入れる前のシールド１１の外径Ｄ1 は、外輪２の周溝２ａの内径ｄ1 よりも少し大きく形成してある。そして該シールド１１を外輪２の周溝２ａに嵌め入れる際には該シールド１１の外径側を内径方向に押すと、該シールド１１の外径は、弾性変形して小さくなる。そして前記外輪２の端部の周溝２ａの外側に形成された鍔部２ｂの内径より少し小さくなる程度に縮小させ、周溝２ａに位置したところで外力を開放する。こうして、シールド１１の外径は外輪２の周溝２ａの底部に当接する。該シールド１１は、更に元に戻ろうとするが、弾性変形した状態でその外周面１１ｃが周溝２ａに当接して安定する。この場合、シールド１１は、その外周面１１ｃと周溝２ａと当接するだけでなく、弾性変形時の力が軸方向に作用して外輪２の周溝２ａの外壁２ｃ側及び内壁２ｄ（鍔部２ｂの内壁）側にも当接し、密封性能が一層良くなる。従って、シールド１１は密封装置として機能して外部からの塵埃等が周溝２ａの底部を伝って侵入するのを防止し、また、グリース漏れも防止することができる。
【００１６】
尚、シールド１１を二重巻きとした場合、該シールド１１の一方の端部１１ａと他方の端部１１ｂとは少し重なる（ラップする）ので、周溝２ａに嵌め入れたとき、図７（Ａ）に示すように、一部は３重となり、図７（Ｂ）に示すように、他の部分は二重となる。従って、外輪２の端部に形成する周溝２ａの幅Ｌ2 はこのことを考慮して形成する必要がある。
【図面の簡単な説明】
【００１７】
【図１】図１は、本発明の第１の実施の形態の軸受の密封装置のシールドの斜視図である。
【図２】本発明の第１の実施の形態及び第２の実施の形態の軸受の密封装置のシールドを一方から見た側面図である。
【図３】本発明の第１の実施の形態の軸受の密封装置のシールドを製作する際材料として取り出す帯鋼板の概要斜視図である。
【図４】本発明の第１の実施の形態の軸受の密封装置を取り付けた旋回座用ラジアシル軸受の一部縦断面図であり、図４（Ａ）は、シールドが二重になっている部分の断面図であり、図４（Ｂ）は、一重の部分の断面図である。
【図５】本発明の第２の実施の形態の軸受の密封装置のシールドの斜視図である。
【図６】本発明の第２の実施の形態の軸受の密封装置を取り付けた旋回座用ラジアシル軸受の一部縦断面図であり、図７（Ａ）は、シールドが三重になっている部分の断面図であり、図７（Ｂ）は、二重の部分の断面図である。
【図７】従来の旋回座用軸受の一部縦断面図である。
【図８】図８に示す従来の旋回座用軸受で使用されるシールの補強用芯金の縦断面図である。
【図９】従来の旋回座用軸受の一部縦断面図である。
【図１０】図９に示す従来の旋回座用軸受で使用されるシール用環状板の側面図である。
【符号の説明】
【００１８】
１，１１  シールド                                                      ２    外輪
２ａ  周溝
２ｂ  鍔部
３    内輪
３ａ  内輪外周面
４    ラビリンス密封部
６    環状空間
【図１】
2006002854.tif 000003
【図２】
2006002854.tif 000004
【図３】
2006002854.tif 000005
【図４】
2006002854.tif 000006
【図５】
2006002854.tif 000007
【図６】
2006002854.tif 000008
【図７】
2006002854.tif 000009
【図８】
2006002854.tif 000010
【図９】
2006002854.tif 000011
【図１０】
2006002854.tif 000012